(57)【要約】【課題】スクロール圧縮室における圧縮ガスの漏れを減少させ、圧縮機効率を向上した低圧ドーム型圧縮機を提供する。【課題を解決するための手段】低圧ドーム型圧縮機１は、ケーシング２と、スクロール圧縮機構３と、圧縮媒体通路３０と、潤滑油導入通路２２と、合流用通路２４とを備えている。ケーシング２は、外部から圧縮媒体を吸入する吸入口２ｄを有する。スクロール圧縮機構３は、可動スクロール１１および固定スクロール１２を有している。圧縮媒体通路３０は、ケーシング２内部に形成されている。圧縮媒体通路３０は、圧縮媒体を吸入口２ｄからスクロール圧縮機構３へ導く。潤滑油導入通路３０は、ケーシング２底部に溜まる潤滑油を可動スクロール１１の軸部１１ｂに導く。合流用通路２４は、潤滑油導入通路２２を介して可動スクロール１１の軸部１１ｂに給油された潤滑油を、圧縮媒体通路３０に導いて圧縮媒体に合流させる。【選択図】図１
2009008011.tif 000002
【特許請求の範囲】
【請求項１】
外部から圧縮媒体を吸入する吸入口（２ｄ）を有するケーシング（２）と、
前記ケーシング（２）内部に収納され、公転可能な可動スクロール（１１）および前記ケーシング（２）に固定された固定スクロール（１２）を有しており、前記圧縮媒体を圧縮するスクロール圧縮機構（３）と、
前記ケーシング（２）内部に形成され、前記圧縮媒体を前記吸入口（２ｄ）から前記スクロール圧縮機構（３）へ導く圧縮媒体通路（３０）と、
前記ケーシング（２）底部に溜まる潤滑油を前記可動スクロール（１１）の軸部（１１ｂ）に導く潤滑油導入通路（２２）と、
前記潤滑油導入通路（２２）を介して前記可動スクロール（１１）の軸部（１１ｂ）に給油された潤滑油を、前記圧縮媒体通路（３０）に導いて前記圧縮媒体に合流させる合流用通路（２４）と
を備えている、
低圧ドーム形圧縮機（１）。
【請求項２】
前記スクロール圧縮機構（３）の下部に配置され、前記可動スクロール（１１）の公転のための駆動力を発生させるモータ（４）をさらに備えており、
前記吸入口（２ｄ）は、前記モータ（４）よりも低い位置に配置されている、
請求項１に記載の低圧ドーム形圧縮機（１）。
【請求項３】
前記合流用通路（２４）の出口（２４ａ）は、前記圧縮媒体通路（３０）における前記吸入口（２ｄ）に近い場所に配置されている、
請求項１または２に記載の低圧ドーム形圧縮機（１）。
【請求項４】
前記圧縮媒体通路（３０）は、前記モータ（４）の内部を通る内部通路（３１）と、前記モータ（４）の外部を通る外部通路（３２ａ、３２ｂ）とを有しており、
前記合流用通路（２４）は、前記外部通路（３２ｂ）の内部に配置されている、
請求項２に記載の低圧ドーム形圧縮機（１）。
【請求項５】
前記スクロール圧縮機構（３）で圧縮されて吐出された圧縮媒体から潤滑油を分離する潤滑油分離部（２７）と、
前記潤滑油分離部（２７）で分離された潤滑油を前記合流用通路（２４）に導く細流路（２８）と
をさらに備えている、
請求項１から４に記載の低圧ドーム形圧縮機（１）。
【発明の詳細な説明】
【技術分野】
【０００１】
本発明は、低圧ドーム型圧縮機に関する。
【背景技術】
【０００２】
従来、可動スクロールおよび固定スクロールを有し、圧縮媒体を圧縮するスクロール圧縮機構と、スクロール圧縮機構の下部に配置され、可動スクロールの公転のための駆動力を発生させるモータとが密閉されたケーシングに収納された特許文献１の低圧ドーム型圧縮機がある。
【０００３】
この特許文献１の低圧ドーム型圧縮機では、モータのステータとケーシングとの間の隙間（エアギャップ）において、吸入口からスクロール圧縮機構へ流れる吸入ガス通路と隔離して、スクロール圧縮機構からケーシング底部の油溜まりへ潤滑油を戻す油戻し通路が形成されている。
【特許文献１】特開平９−８８８６１号公報
【発明の開示】
【発明が解決しようとする課題】
【０００４】
低圧ドーム型圧縮機では、吸入ガスに潤滑油が適度に混入されている方が、スクロール圧縮機構のスクロール圧縮室における圧縮ガスの漏れが少なくなる傾向がある。しかし、上記の特許文献１の低圧ドーム型圧縮機では、吸入ガス通路と油戻し通路とが隔離されているので、吸入ガスに混入される潤滑油が不足がちになるので、スクロール圧縮室における圧縮ガスの漏れを抑えることが困難である。そのため、圧縮機効率の向上が困難になっている。
【０００５】
本発明の課題は、スクロール圧縮室における圧縮ガスの漏れを減少させ、圧縮機効率を向上した低圧ドーム型圧縮機を提供することにある。
【課題を解決するための手段】
【０００６】
第１発明の低圧ドーム型圧縮機は、ケーシングと、スクロール圧縮機構と、圧縮媒体通路と、潤滑油導入通路と、合流用通路とを備えている。ケーシングは、外部から圧縮媒体を吸入する吸入口を有する。スクロール圧縮機構は、圧縮媒体を圧縮する。スクロール圧縮機構は、ケーシング内部に収納されている。スクロール圧縮機構は、公転可能な可動スクロール、およびケーシングに固定された固定スクロールを有している。圧縮媒体通路は、ケーシング内部に形成されている。圧縮媒体通路は、圧縮媒体を吸入口からスクロール圧縮機構へ導く。潤滑油導入通路は、ケーシング底部に溜まる潤滑油を可動スクロールの軸部に導く。合流用通路は、潤滑油導入通路を介して可動スクロールの軸部に給油された潤滑油を、圧縮媒体通路に導いて圧縮媒体に合流させる。
【０００７】
ここでは、低圧ドーム型圧縮機が、潤滑油導入通路を介して可動スクロールの軸部に給油された潤滑油を、圧縮媒体通路に導いて圧縮媒体に合流させる合流用通路を備えている。したがって、ケーシングの吸入口から吸入された圧縮媒体に、潤滑油を多く混入させることが可能になる。それによって、スクロール圧縮機構の漏れを低減させ、スクロール圧縮室のシール性を向上することが可能になる。
【０００８】
第２発明の低圧ドーム型圧縮機は、第１発明の低圧ドーム型圧縮機であって、モータをさらに備えている。モータは、スクロール圧縮機構の下部に配置されている。モータは、可動スクロールの公転のための駆動力を発生させる。吸入口は、モータよりも低い位置に配置されている。
【０００９】
ここでは、ケーシングの吸入口が、スクロール圧縮機構の下部に配置されたモータよりも低い位置に配置されているので、吸入口から吸入された圧縮媒体がスクロール圧縮機構に向かう途中で上昇する間にモータ全体を効果的に冷却することが可能である。
【００１０】
第３発明の低圧ドーム型圧縮機は、第１発明または第２発明の低圧ドーム型圧縮機であって、合流用通路の出口は、圧縮媒体通路における吸入口に近い場所に配置されている。
【００１１】
ここでは、合流用通路の出口が圧縮媒体通路における吸入口に近い場所に配置されているので、合流用通路の出口が圧縮媒体通路における吸入口に近い場所に配置されているので、吸入口から吸入された直後の流速の速い圧縮媒体に潤滑油を混合できるので、潤滑油を圧縮媒体内部に効果的に分散させることが可能である。
【００１２】
第４発明の低圧ドーム型圧縮機は、第２発明の低圧ドーム型圧縮機であって、圧縮媒体通路は、モータの内部を通る内部通路と、モータの外周を通る外部通路とを有している。合流用通路は、外部通路の内部に配置されている。
【００１３】
ここでは、圧縮媒体通路が、モータの内部を通る内部通路と、モータの外部を通る外部通路とを有しており、合流用通路が外部通路の内部に配置されているので、合流用通路から滴下される潤滑油が、モータ外部を通って上昇する圧縮媒体と効果的に混合することが可能である。
【００１４】
第５発明の低圧ドーム型圧縮機は、第１発明から第４発明のいずれかの低圧ドーム型圧縮機であって、潤滑油分離部と、細流路とをさらに備えている。潤滑油分離部は、スクロール圧縮機構で圧縮されて吐出された圧縮媒体から潤滑油を分離する。細流路は、潤滑油分離部で分離された潤滑油を合流用通路に導く。
【００１５】
ここでは、スクロール圧縮機構で圧縮されて吐出された圧縮媒体から潤滑油を分離する潤滑油分離部と、潤滑油分離部で分離された潤滑油を合流用通路に導く細流路とをさらに備えているので、スクロール圧縮機構で圧縮されて吐出された圧縮ガスに含まれる潤滑油を潤滑油分離部によって効果的に回収し、細流路を通して吸入された圧縮媒体へ再び混合することができる。
【発明の効果】
【００１６】
第１発明によれば、吸入された圧縮媒体に潤滑油を多く混入させることができる。そのため、スクロール圧縮機構の漏れを低減させることができ、スクロール圧縮室のシール性を向上させることができる。その結果、圧縮機効率の向上を達成できる。
【００１７】
第２発明によれば、吸入された圧縮媒体がスクロール圧縮機構に向かう途中で上昇する間に、モータ全体を効果的に冷却することができる。
【００１８】
第３発明によれば、吸入口から吸入された直後の流速の速い圧縮媒体に潤滑油を混合できるので、潤滑油を圧縮媒体内部に効果的に分散させることができる。
【００１９】
第４発明によれば、合流用通路から滴下される潤滑油が、モータ外部を通って上昇する圧縮媒体と効果的に混合することができる。
【００２０】
第５発明によれば、スクロール圧縮機構で圧縮されて吐出された圧縮ガスに含まれる潤滑油を効果的に回収し、吸入された圧縮媒体へ再び混合することができる。
【発明を実施するための最良の形態】
【００２１】
つぎに本発明の低圧ドーム型圧縮機の実施形態を図面を参照しながら説明する。
【００２２】
〔実施形態〕
＜低圧ドーム型圧縮機１の全体構成＞
図１〜２に示される低圧ドーム型圧縮機１は、ガス冷媒等の圧縮媒体を圧縮する圧縮機である。低圧ドーム型圧縮機１は、ケーシング２と、スクロール圧縮機構３と、スクロール圧縮機構３の下部に配置され、可動スクロールの公転のための駆動力を発生させるモータ４と、モータ４のロータ１８に連結されたシャフト５と、シャフト５の上下両端をそれぞれ支持する上部ハウジング６および下部ハウジング７とを備えている。
【００２３】
ケーシング２は、筒状の本体部分２ａと、筒状の本体部分２ａの上下両端を密閉する上壁部２ｂおよび下壁部２ｃとからなる密閉された圧力容器である。また、ケーシング２側面において、モータ４よりも下の位置には外部から圧縮媒体を吸入する吸入口２ｄが形成され、さらに、スクロール圧縮機構３よりも上の位置には圧縮後の圧縮媒体を外部へ吐出する吐出口２ｅが形成されている。ケーシング２内部の底部には、潤滑油が溜まって油溜まりＲが形成されている。
【００２４】
スクロール圧縮機構３は、ケーシング２内部に吸入された圧縮媒体を圧縮する機構であり、可動スクロール１１と、固定スクロール１２と、オルダムリング１３と、ベアリング１４と、スイングリンク１５とから構成されている。可動スクロール１１は、上向きの螺旋状の突条部分１１ａと、軸部１１ｂとを有している。固定スクロール１２は、下向きの螺旋状の突条部分１２ａを有している。固定スクロール１２の螺旋状の突条部分１２ａと可動スクロール１１の螺旋状の突条部分１１ａとが噛み合っている部分の隙間が、スクロール圧縮室となる。固定スクロール１２は、ケーシング２内壁および上部ハウジング６に固定されている。
【００２５】
可動スクロール１１の軸部１１ｂは、シャフト５の上端に連結されたスイングリンク１５にベアリング１４を介して回転自在に連結されている。スイングリンク１５の内部空間１５ａは、シャフト５の中心軸Ｃから偏心した円形空間である。したがって、シャフト５の回転時において、ベアリング１５および可動スクロール１１の軸部１１ｂは、スイングリンク１５の内部空間１５ａの内部でシャフト５の中心軸Ｃの回りを公転運動する。一方、可動スクロール１１は、オルダムリング１３によって自転しないように規制されているので、可動スクロール１１は、自転しないで公転運動することが可能になっている。
【００２６】
モータ４は、電磁コイルを含むステータ１７と、永久磁石および積層鋼板を含むロータ１８とから構成されている。ステータ１７は、ケーシング２の筒状の本体部分２ａにスポット溶接またはかしめ等により固定されている。また、ステータ１７は、上部ハウジング６にも固定されている。
【００２７】
シャフト５は、その上端部が上部ハウジング６に取り付けられたベアリング２１に回転自在に支持され、その下端部の少し上の部分を下部ハウジング７の軸受部分７ａに回転自在に支持されている。シャフト５は、モータ４のロータ１８に焼きばめ等で一体に結合しているので、モータ４の回転駆動力を受けて回転する。
【００２８】
シャフト５の内部には、潤滑油導入通路２２が形成されている。シャフト５の回転時には、潤滑油導入通路２２内部は負圧になるので、ケーシング３底部の油溜まりＲから潤滑油が吸い上げられ、スクロール圧縮機構３の摺動部、具体的には、可動スクロール１１の軸部１１ｂ、ベアリング１４、スイングリンク１５、およびオルダムリング１３に給油される。それとともに、シャフト５の摺動部であるベアリング２１にも給油される。
【００２９】
＜吸入ガスの流れについての説明＞
ケーシング２の内部には、ガス冷媒等の圧縮媒体をケーシング２の吸入口２ｄからスクロール圧縮機構３の吸入口３ａへ導く圧縮媒体通路３０が形成されている。圧縮媒体通路３０は、モータ４の内部（ステータ１７とロータ１８との隙間、およびロータ１８内部に形成されたガス通路（図示せず））を通る内部通路３１と、モータ４の外部を通る第１外部通路３２ａおよび第２外部通路３２ｂとを有している。
【００３０】
さらに詳細に言えば、図１に示される圧縮媒体通路３０は、ケーシング２の吸入口２ｄからスクロール圧縮機構３の吸入口３ａまでの間における圧縮媒体の流れ（スクロール圧縮機構３に吸入される吸入ガスの流れ）を示す白抜き矢印で示される経路全体である。ケーシング２内部の吸入ガスの流れの大部分は、吸入口３ａから連結管２３を通って上部ケーシング６と下部ケーシング７とで形成された空間部に入り、モータ４の内部および外部を通って（すなわち、内部通路３１および第１外部通路３２ａを通って）上昇してモータ４を冷却し、その後、上部ケーシング６の開口６ａを通して上部ケーシング６から出る。一方、吸入ガスのうち連結管２３の上部開口２３ａを通って上部ケーシング６の外周を回って吸入口３ａまで上昇する吸入ガスの流れも存在する。この上部ケーシング６の外周における吸入ガスの経路を、第２外部通路３２ｂと呼ぶ。
【００３１】
＜潤滑油の流れについての説明＞
一方、潤滑油は以下のような経路で流れる。低圧ドーム型圧縮機１のケーシング２内部には、ケーシング２底部の油溜まりＲに溜まる潤滑油を可動スクロール１１の軸部１１ｂに導く前述の潤滑油導入通路２２と、潤滑油導入通路２２を介して可動スクロール１１の軸部１１ｂに給油された潤滑油を、圧縮媒体通路３０に導いて圧縮媒体に合流させる合流用通路２４とを備えている。具体的には、潤滑油導入通路２２を上昇してスイングリンク１５の内部へ給油された潤滑油は、スイングリンク１５に形成された細流路１５ｂを通ってスイングリンク１５の外部へ出て、その後、上部ケーシング６に連結された合流管２５内部の合流用通路２４を通って滴下する。合流管２５から滴下する潤滑油は、連結管２３の上部開口２３ａを通して、連結管２３内部を流れる吸入ガスに混合される。また、滴下する潤滑油は、上部開口２３ａを通って上昇する吸入ガスにも混合される。
【００３２】
また、図１の低圧ドーム形圧縮機１は、スクロール圧縮機構３で圧縮されて吐出口３ｂから吐出された圧縮媒体から潤滑油を分離する潤滑油分離部２７と、潤滑油分離部２７で分離された潤滑油を合流用通路２４に導く細流路２８とをさらに備えている。したがって、吐出ガスに含まれる潤滑油を潤滑油分離部２７によって回収し、回収した潤滑油を細流路２８および合流用通路２４を介して吸入ガスへ混入させることが可能である。
【００３３】
さらに、図１の潤滑油流れＳに示されるように、スイングリンク１５から出た潤滑油の一部は、上部ハウジング６とオルダムリング１３のとの隙間を通って、スクロール圧縮機構３の吸入口３ａ付近の吸入ガスへ混入することが可能であるので、吸入ガスへの潤滑油の混入量をさらに増やすことが可能である。
【００３４】
＜実施形態の特徴＞
（１）
実施形態の低圧ドーム形圧縮機１は、潤滑油導入通路２２を介して可動スクロール１１の軸部１１ｂに給油された潤滑油を、圧縮媒体通路３０に導いて圧縮媒体に合流させる合流用通路２４とを備えている。したがって、ケーシング２の吸入口２ｄから吸入された吸入ガスに、潤滑油を多く混入させることが可能になる。それによって、スクロール圧縮機構３の漏れを低減させることが可能になり、スクロール圧縮室のシール性を向上することが可能になる。その結果、圧縮機効率の向上を達成できる。
【００３５】
（２）
実施形態の低圧ドーム形圧縮機１では、ケーシング２の吸入口２ｄが、スクロール圧縮機構３の下部に配置されたモータ４よりも低い位置に配置されているので、吸入口２ｄから吸入された吸入ガスがスクロール圧縮機構３に向かう途中で上昇する間にモータ４全体を効果的に冷却することが可能である。
【００３６】
（３）
実施形態の低圧ドーム形圧縮機１では、合流用通路２４の出口２４ａは、圧縮媒体通路３０における吸入口２ｄに近い場所に配置されている。したがって、吸入口２ｄから吸入された直後の流速の速い吸入ガスに潤滑油を混合できるので、潤滑油を吸入ガス内部に効果的に分散させることができる。
【００３７】
（４）
実施形態の低圧ドーム形圧縮機１では、圧縮媒体通路３０は、モータ４の内部を通る内部通路３１と、モータ４の外部を通る外部通路３２ａ、３２ｂとを有しており、合流用通路２４は、第２外部通路３２ｂの内部に配置されている。したがって、合流用通路２４から滴下される潤滑油が、モータ４外部の第２外部通路３２ｂを通って上昇する吸入ガスと効果的に混合することができる。
【００３８】
（５）
実施形態の低圧ドーム形圧縮機１は、スクロール圧縮機構３で圧縮されて吐出された圧縮媒体から潤滑油を分離する潤滑油分離部２７と、潤滑油分離部２７で分離された潤滑油を合流用通路２４に導く細流路２８とをさらに備えている。したがって、スクロール圧縮機構３で圧縮されて吐出された圧縮ガスに含まれる潤滑油を潤滑油分離部２７によって効果的に回収し、細流路２８を通して吸入ガスへ再び混合することができる。
【００３９】
＜実施形態の変形例＞
（Ａ）
上記実施形態では、合流用通路２４を有する合流管２５の出口２５ａ（すなわち、合流用通路２４の出口２４ａ）が、圧縮媒体通路３０における吸入口２ｄに近い連結管２３の上部開口２３ａ付近に配置されているが、本発明はこれに限定されるものではない。変形例として、合流用通路２４を有する合流管２５を短くし、その出口２５ａ（すなわち、合流用通路２４の２４ａ）が連結管２３の上部開口２３ａから上方に離れていてもよい。この場合でも、合流用通路２４から滴下する潤滑油を吸入ガスに多く混合させることが可能である。なお、この場合、上記実施形態の構成の場合と比較して、連結管２３の上部開口２３ａから上昇する吸入ガスの流量を増やすのが好ましい。
【産業上の利用可能性】
【００４０】
本発明は、吸入ガスに潤滑油を混合させることが要求されるスクロール圧縮機構を備えた低圧ドーム型圧縮機に適用することが可能である。
【図面の簡単な説明】
【００４１】
【図１】本発明の実施形態に係わる低圧ドーム型圧縮機の構成図。
【図２】図１の低圧ドーム型圧縮機のＩＩ−ＩＩ線断面図。
【符号の説明】
【００４２】
１  低圧ドーム型圧縮機
２  ケーシング
２ｄ  吸入口
２ｅ  吐出口
３  スクロール圧縮機構
４  モータ
５  シャフト
１１  可動スクロール
１１ｂ  軸部
２２  潤滑油導入通路
２４  合流用通路
２７  潤滑油分離部
２８  細流路
３０  圧縮媒体通路
３１  内部通路
３２ａ  第１外部通路
３２ｂ  第２外部通路
【図１】
2009008011.tif 000003
【図２】
2009008011.tif 000004